(57)【要約】【課題】一様な給気を実現できるプッシュ機構および一様な吸気を実現できるプル機構を提供する。さらに、一様な捕捉気流を実現できるプッシュプルユニットを提供する。【解決手段】プッシュプルユニットは、吸気機構２１を有する切り出し台２０と、切り出し台２０と一体となる様に併設され、吸気機構３１を有する流し台３０と、上方から吸気機構２１，３１に向けて給気する給気機構１０と、プッシュプル間を３面にて閉塞する側壁４０と、排気機構５０とを備える。【選択図】図１
2019215115.tif 000002
【特許請求の範囲】
【請求項１】
揮発性薬剤を用いた部位を切り出す際に用いられ、第１吸気機構を有する切り出し台と、
前記切り出し台と一体となる様に併設され、付着した揮発性薬剤を洗浄する際に用いられ、第２吸気機構を有する流し台と、
前記切り出し台および流し台の上方に設けられ、前記第１吸気機構および第２吸気機構に向けて給気する給気機構と、
前記給気機構と前記第１吸気機構および第２吸気機構の間を３面にて閉塞する側壁と、
前記第１吸気機構および第２吸気機構が吸気した気体を排気する排気機構と
を備えることを特徴とするプッシュプルユニット。
【請求項２】
前記給気機構は、
前記切り出し台および流し台とを跨ぐ方向に長手方向を有し、一端部開口部において給気ファンと連続される給気ボックスと、
前記給気ボックス内に設けられる整流機構と、
を有し、
前記整流機構は、下端が同一高さとなるように、かつ、上端が一端部開口部から遠方に行くほど高くなるように並列に配設される複数の整流板から形成される
ことを特徴とする請求項１記載のプッシュプルユニット。
【請求項３】
前記切り出し台は、中央にフラットな作業面を有し、
前記第１吸気機構は、前記作業面と同じ高さから低い位置に、前記作業面を囲むように平面視環状に形成されている
ことを特徴とする請求項１または２記載のプッシュプルユニット。
【請求項４】
前記第２吸気機構は、前記流し台のシンク壁面に沿って形成されている
ことを特徴とする請求項１〜３いずれか記載のプッシュプルユニット。
【請求項５】
前記切り出し台の天面と前記流し台のシンク開放面とは、同じ高さにあり、
前記第２吸気機構は、前記流し台のシンク壁面上部に沿って形成され、
前記第１吸気機構の捕捉面と前記第２吸気機構の捕捉面とは、同じ高さにある
ことを特徴とする請求項１〜４いずれか記載のプッシュプルユニット。
【請求項６】
前記第１吸気機構の捕捉面における平均流速と前記第２吸気機構の捕捉面における平均流速とは、同等である
ことを特徴とする請求項１〜５いずれか記載のプッシュプルユニット。
【請求項７】
前記第１吸気機構端部と前記第２吸気機構端部との長手方向間隔は３００ｍｍ以下である
ことを特徴とする請求項１〜６いずれか記載のプッシュプルユニット。
【請求項８】
揮発性薬剤を用いた部位を切り出す際に用られる切り出し台であって、
中央にフラットな作業面と、
前記作業面と同じ高さから低い位置に、前記作業面を囲むように平面視環状に形成される吸気機構と
を有する
ことを特徴とする切り出し台。
【請求項９】
前記吸気機構は、
排気機構に連続する風箱と、
前記作業面を囲むように平面視環状に形成される環状溝と、
前記環状溝に沿って複数設けられ、前記環状溝底面を貫通し、前記風箱と連結する連結筒と、
前記連結筒の頭部を囲い、側面に第１吸引孔を有する囲い箱と、
前記環状溝を塞ぎ、天面に第２吸引孔を有する溝蓋とを
有することを特徴とする請求項８記載の切り出し台。
【請求項１０】
付着した揮発性薬剤を洗浄する際に用いられ、
シンクと、
前記流し台のシンク壁面上部に沿って形成される吸気機構と
を有することを特徴とする流し台。
【請求項１１】
前記吸気機構は、
前記流し台のシンク壁面周囲に設けられ、排気機構に連続する風箱と、
前記流し台のシンク壁面上部に設けられる開口部と、
前記開口部に対向して設けられるデミスタと、
前記デミスタによって分離される水をシンク底面に導く排水戻り路と、
を有することを特徴とする請求項１０記載の流し台。
【発明の詳細な説明】
【技術分野】
【０００１】
本発明はプッシュプルユニットに関し、特に、切り出し台と流し台が一体として併設されるプッシュプルユニットに関する。
【背景技術】
【０００２】
病院の病理検査において、ホルマリンに浸して検体臓器を固定（細胞組織形態が変化するのを防止）したり、固定した検体臓器を切り出し台において適切な大きさに切り出す作業が行われている。固定作業や切り出し作業の際に付着したホルマリン等を流し台において洗浄する。その際に、ホルマリンからホルムアルデヒドが揮発するおそれがある。
【０００３】
一方、特定化学物質障害予防規則が改正され、発癌性の観点から、例えばホルムアルデヒドや１，３−ブタンジエン、硫酸ジエチルの取扱いには大きな注意が要求されるようになった。今回の改正で、ホルムアルデヒドは第３類物質から特定第２類物質に変更された。
【０００４】
病理検査室内においても、ホルムアルデヒドの管理濃度は0.1ppm以下と設定され、排気設備の設置や定期的な作業環境測定が義務付けられている。
【０００５】
ところで、吸引のみし排気する排気設備では、揮発したホルムアルデヒド等の有害な気体の拡散を防止するためには、大量の空気を吸引して排気する必要がある。その結果、吸引箇所の流速が速くなる。
【０００６】
これに対し、プッシュプル型の排気設備が提案されている（例えば特許文献１）。プッシュ機構による給気により、緩やかな気流を発生させ、当該気流とともに有害な気体を吸気して、排出する。これによれば、吸引箇所の流速を穏やかにできる。
【先行技術文献】
【特許文献】
【０００７】
【特許文献１】特開２００５−３３７５６２号公報
【発明の概要】
【発明が解決しようとする課題】
【０００８】
「プッシュプル型換気装置の性能及び構造上の要件等について」法令により定められ、捕捉気流の一様性について言及されている。特許文献１においても、一様な給気を実現するプッシュ機構について開示されている。
【０００９】
特許文献１においては、プッシュ機構のみ開示されているが、特許文献１におけるプッシュ機構が全てのプッシュプルユニットに適用できるとは限らない。
【００１０】
本発明は、上記課題を解決するものであり、一様な捕捉気流を実現するプッシュプルユニットを提供することを目的とする。
【００１１】
さらに、一様な給気を実現するプッシュ機構および一様な吸気を実現するプル機構を提供することを目的とする。
【課題を解決するための手段】
【００１２】
上記課題を解決するために、本発明の一態様であるプッシュプルユニットは、揮発性薬剤を用いた部位を切り出す際に用いられ、第１吸気機構を有する切り出し台と、前記切り出し台と一体となる様に併設され、付着した揮発性薬剤を洗浄する際に用いられ、第２吸気機構を有する流し台と、前記切り出し台および流し台の上方に設けられ、前記第１吸気機構および第２吸気機構に向けて給気する給気機構と、前記給気機構と前記第１吸気機構および第２吸気機構の間を３面にて閉塞する側壁と、前記第１吸気機構および第２吸気機構が吸気した気体を排気する排気機構とを備える。
【００１３】
給気機構は一様な給気を実現し、第１吸気機構および第２吸気機構は一様な吸気を実現する。その結果、一様な捕捉気流を実現できる。
【００１４】
上記発明の一態様において、好ましくは、前記給気機構は、前記切り出し台および流し台とを跨ぐ方向に長手方向を有し、一端部開口部において給気ファンと連続される給気ボックスと、前記給気ボックス内に設けられる整流機構と、を有する。前記整流機構は、下端が同一高さとなるように、かつ、上端が一端部開口部から遠方に行くほど高くなるように並列に配設される複数の整流板から形成される。
【００１５】
これにより、給気機構は一様な給気を実現できる。
【００１６】
上記発明の一態様において、好ましくは、前記切り出し台は、中央にフラットな作業面を有し、前記第１吸気機構は、前記作業面と同じ高さから低い位置に、前記作業面を囲むように平面視環状に形成されている。
【００１７】
これにより、第１吸気機構は一様な吸気を実現できる。また、フラットな作業面により作業性が向上する。
【００１８】
上記発明の一態様において、好ましくは、前記第２吸気機構は、前記流し台のシンク壁面に沿って形成されている。
【００１９】
これにより、第１吸気機構は一様な吸気を実現できる。
【００２０】
上記発明の一態様において、好ましくは、前記切り出し台の天面と前記流し台のシンク開放面とは、同じ高さにあり、前記第２吸気機構は、前記流し台のシンク壁面上部に沿って形成され、前記第１吸気機構の捕捉面と前記第２吸気機構の捕捉面とは、同じ高さにある。
【００２１】
第１吸気機構の吸気面と前記第２吸気機構の吸気面とを同じ高さにすることにより、第１吸気機構の捕捉面と第２吸気機構の捕捉面とは、同じ高さになる。
【００２２】
上記発明の一態様において、好ましくは、前記第１吸気機構の捕捉面における平均流速と前記第２吸気機構の捕捉面における平均流速とは、同等である。
【００２３】
すなわち、一様な捕捉気流を実現できる。
【００２４】
上記発明の一態様において、好ましくは、前記第１吸気機構端部と前記第２吸気機構端部との長手方向間隔は３００ｍｍ以下である。
【００２５】
これにより、一様な捕捉気流を実現できる。
【００２６】
上記課題を解決するために、本発明の一態様である切り出し台は、揮発性薬剤を用いた部位を切り出す際に用いる切り出し台であって、中央にフラットな作業面と、前記作業面と同じ高さから低い位置に、前記作業面を囲むように平面視環状に形成される吸気機構とを有する。
【００２７】
これにより、吸気機構は一様な吸気を実現できる。また、フラットな作業面により作業性が向上する。
【００２８】
上記発明の一態様において、好ましくは、前記吸気機構は、排気機構に連続する風箱と、前記作業面を囲むように平面視環状に形成される環状溝と、前記環状溝に沿って複数設けられ、前記環状溝底面を貫通し、前記風箱と連結する連結筒と、前記連結筒の頭部を囲い、側面に第１吸引孔を有する囲い箱と、前記環状溝を塞ぎ、天面に第２吸引孔を有する溝蓋とを有する。
【００２９】
これにより、吸気の一様性が向上する。
【００３０】
上記課題を解決するために、本発明の一態様である流し台は、付着した揮発性薬剤を洗浄する際に用いられ、シンクと、前記流し台のシンク壁面上部に沿って形成される吸気機構とを有する。
【００３１】
これにより、吸気機構は一様な吸気を実現できる。
【００３２】
上記発明の一態様において、好ましくは、前記吸気機構は、前記流し台のシンク壁面周囲に設けられ、排気機構に連続する風箱と、前記流し台のシンク壁面上部に設けられる開口部と、前記開口部に対向して設けられるデミスタと、前記デミスタによって分離される水をシンク底面に導く排水戻り路と、を有する。
【００３３】
これにより、吸気の一様性が向上する。
【発明の効果】
【００３４】
本発明のプッシュ機構（給気機構）によれば、一様な給気を実現できる。本発明のプル機構（第１吸気機構および第２吸気機構）によれば、一様な吸気を実現できる。
【００３５】
その結果、本発明のプッシュプルユニットによれば、一様な捕捉気流を実現できる。
【図面の簡単な説明】
【００３６】
【図１】プッシュプルユニット全体構成図（分解斜視図）
【図２】プッシュプルユニット全体構成図（立面図）
【図３】プッシュ機構（断面図）
【図４】プッシュ機構変形例（断面図）
【図５】プル機構（平面図）
【図６】第１吸気機構（部分斜視図）
【図７】第１吸気機構（詳細斜視図）
【図８】第１吸気機構（詳細断面図）
【図９】切り出し台側気流（断面図）
【図１０】第２吸気機構（詳細斜視図）
【図１１】流し台側気流（断面図）
【図１２】捕捉面での気流
【図１３】捕捉面流速分布
【発明を実施するための形態】
【００３７】
〜プッシュプルユニット〜
図１および図２は、プッシュプルユニット全体構成図である。図１は各構成の分解斜視図であり、図２は立面図である。
【００３８】
プッシュプルユニットは、プッシュ機構（給気機構１０）とプル機構（吸気機構）とから構成される。吸気機構２１，３１は、それぞれ、切り出し台２０と流し台３０とに設けられている。
【００３９】
給気機構１０と吸気機構２１，３１の間は３面（右側面、背面、左側面）の側壁４０により閉塞されている。ただし、正面のみ開放され、作業者が切り出し台２０や流し台３０にアクセス可能となっている。
【００４０】
切り出し台２０や流し台３０において発生した有害な気体は、給気機構１０からの気流とともに吸気機構２１，３１に吸引され、排気機構５０を介して排気される。
【００４１】
排気機構５０は吸気機構２１，３１と連続しており、側壁４０のうち背面の裏側に設けられている。排気機構５０は外部の排風機と接続される。外部排気に変えて室内循環型排気としてもよい。
【００４２】
切り出し台２０と流し台３０とが一体となる様に併設されている。切り出し台２０の天面と流し台３０のシンク開放面とは、同じ高さにある。
【００４３】
切り出し台２０は、ホルマリン等の揮発性薬剤に浸して固定（細胞組織形態が変化するのを防止）した検体臓器を適切な大きさに切り出す際に用いられる。流し台３０は、付着した揮発性薬剤を洗浄する際に用いられる。
【００４４】
プッシュプルユニットを用いた一連の動作について説明する。切り出し台２０において、検体が収納されている容器を開封し、検体を取り出す。検体を取り出す際に、道具に揮発性薬剤が付着した場合には、流し台３０にて道具を洗浄する。また、流し台３０にて揮発性薬剤が付着している検体を洗浄する。
【００４５】
切り出し台２０において、検体を適切な大きさに切り出す。検体を切り出す際の揮発性薬剤が付着した道具を流し台３０にて洗浄する。切り出し台２０において、残りの検体を容器の戻し密封する。一連の作業後、流し台３０にて手を洗浄する。
【００４６】
このように、切り出し台２０での動作と流し台３０との動作を一連として行なうことができる。
【００４７】
〜プッシュ機構（給気機構）〜
給気機構１０は切り出し台２０および流し台３０の上方に設けられ、吸気機構２１および吸気機構３１に向けて給気する。
【００４８】
図３は給気機構１０の断面図である。給気機構１０は、給気ファン１１と、給気ボックス１２と、接続ダクト１３と、整流機構１４，１５とから構成される。
【００４９】
給気ファン１１は室内の気体を取り込む。給気ファン１１は上部にパンチングメタルを備えるファンボックスに囲まれている。
【００５０】
給気ボックス１２は、切り出し台２０および流し台３０とを跨ぐ方向に長手方向を有する。
【００５１】
接続ダクト１３は給気ファン１１と給気ボックス１２一端開口部を接続する。上下方向に主軸を有する。
【００５２】
整流機構１４は、接続ダクト１３と給気ボックス１２との間に設けられる。整流機構１４は、末端が同一位置となるように、かつ、先端が上方からから下方に行くほど遠くなるように並列に配設される複数の整流板から形成される。つまり、上方の整流板は短く、下方の整流板は長い。これにより、整流機構１４は、給気ファン１１からの下方流を一様な水平流に整流する。
【００５３】
整流機構１５は、給気ボックス１２内に設けられる。整流機構１５は、下端が同一高さとなるように、かつ、上端が一端部開口部から遠方に行くほど高くなるように並列に配設される複数の整流板から形成される。つまり、近方の整流板は短く、遠方の整流板は長い。これにより、整流機構１５は、整流機構１４からの水平流を一様な下方流に整流する。
【００５４】
給気ボックス１２底部にはパンチングメタルが設けられている。パンチングメタルの給気孔より、一様な給気がされる。
【００５５】
ところで、本実施形態では、切り出し台２０と流し台３０とが一体となる様に併設されているため、給気機構が長手方向に長くなる。したがって、一様な給気をすることが重要である。
【００５６】
なお、給気ボックス中央に給気ファンが連続すると、中央に気流が集中しやすく、端部に気流を誘導しにくい。これに対し本実施形態では、上記構成により一様な給気を実現できる。
【００５７】
図４は給気機構１０の変形例である。切り出し台２０と流し台３０との併設により、給気ボックス１２の長手方向長さが長くなる。
【００５８】
図示左右両端に給気ファン１１が設けられ、整流機構１５は、下端が同一高さとなるように、かつ、上端が端部開口部から中央に行くほど高くなるように並列に配設される複数の整流板から形成される。つまり、端部側の整流板は短く、中央側の整流板は長い。
【００５９】
これにより変形例ではさらに一様な給気を実現できる。
【００６０】
〜プル機構〜
プル機構はプッシュ機構と対応して設けられる。すなわち、プル機構はプッシュ機構からの給気とともに有害な気体を吸引して排気する。
【００６１】
図５はプル機構の平面図である。吸気機構２１は切り出し台２０に設けられている。吸気機構３１は流し台３０に設けられている。
【００６２】
切り出し台２０と流し台３０とが一体となる様に併設され、吸気機構２１，３１は連動してプル機構を構成する。
【００６３】
〜切り出し台〜
切り出し台２０は、ホルマリン等の揮発性薬剤に浸して固定した検体臓器を適切な大きさに切り出す際に用いられる。切り出し台２０は吸気機構２１を有し、揮発性薬剤により発生する有害な気体を吸気する。
【００６４】
図６は吸気機構２１の内部を示す斜視図である。図７は吸気機構２１の詳細を示す斜視図である。図８は吸気機構２１の詳細を示す断面図である。
【００６５】
切り出し台２０は、中央にフラットな作業面２２を有する。なお、フラットな作業面２２は作業性が高い。吸気機構２１は、作業面２２と同じ高さから低い位置に、作業面２２を囲むように平面視環状に形成されている。
【００６６】
吸気機構２１は、環状溝２３と連結筒２４と風箱２５と囲い箱２６と溝蓋２７とから構成されている。
【００６７】
環状溝２３は作業面２２を囲むように平面視環状に掘り下げられて形成されている。
【００６８】
連結筒２４は環状溝２３に沿って複数設けられる。連結筒２４は、環状溝２３底面を貫通し、風箱２５と連結している。
【００６９】
切り出し台２０の躯体は二重構造になっており、内部空間が風箱２５として機能する。風箱２５は排気機構５０に連続する。
【００７０】
囲い箱２６は、連結筒２４の頭部を囲うように被せられ、環状溝２３底面に配置される。囲い箱２６の側面にはパンチングメタルにより吸引孔が設けられている。ただし、囲い箱２６の天面には吸引孔はない。
【００７１】
溝蓋２７は環状溝２３形状に対応した形状により、環状溝２３に嵌められ、環状溝２３を塞ぐ。複数の部位に分割されている。溝蓋２７の天面にはパンチングメタルにより吸引孔が設けられている。
【００７２】
図９は切り出し台側における気流の概略断面図である。
【００７３】
作業面２２で発生した有害な気体は、溝蓋２７の吸引孔を介して吸引され、さらに、囲い箱２６の吸引孔を介して吸引される。このとき、溝蓋２７の吸引孔での下方流は、囲い箱２６の吸引孔での水平流に整流される。
【００７４】
さらに、囲い箱２６内において、連結筒２４を介して吸引され、風箱２５に導かれる。このとき、囲い箱２６の吸引孔での水平流は、連結筒２４での下方流に整流される。
【００７５】
風箱２５内の気体は、排気機構５０を介して外部に排気される。
【００７６】
吸気機構２１によれば、上記構成により整流をおこない、一様な吸気を実現できる。
【００７７】
ところで、囲い箱２６側面と溝蓋２７側面の間には水平方向に隙間が形成される。一方で囲い箱２６側面の吸引孔は、側面下部には設けられていない。その結果、当該隙間は排水路として機能する。つまり、環状溝２３に沿って排水路が形成されている。
【００７８】
切り出し台２０は流し台３０と一体となる様に併設されているため、水分が溝蓋２７の吸引孔を介して混入するおそれもある。また、誤って揮発性薬剤をこぼすおそれもある。
【００７９】
混入した水分等は排水路を介して排水部２８に集められ、連結管を介して流し台３０に排水される。
【００８０】
なお、切り出し台２０の外縁にはスロープ２９が設けられており、流し台３０から水分が混入したり、誤って揮発性薬剤をこぼしたりした場合でも、水分等が切り出し台２０の外縁からこぼれることがない。
【００８１】
〜流し台〜
流し台３０は、付着した揮発性薬剤（例えばホルマリン）を洗浄する際に用いられる。流し台３０は吸気機構３１を有し、揮発性薬剤により発生する有害な気体を吸気する。
【００８２】
図１０は吸気機構３１の詳細を示す斜視図である。
【００８３】
流し台３０は、基本構成として、４つのシンク壁面３２と底面から形成されるシンク空間３３と、底面中央に形成される排水部３４とを備える。さらに、シンク空間３３より上部に混合栓を備える。混合栓から給水された水は、ほぼ全てが、排水部３４より排水される。排水部３４に栓をすることでシンク空間３３に水を溜めることもできる。
【００８４】
４つのシンク壁面３２のうち、混合栓が設けられていない３つのシンク壁面３２において、吸気機構３１が壁面上部に沿って形成される。
【００８５】
吸気機構３１は、開口３５、デミスタ３６、風箱３７、水受３８、開口３９とからとから構成されている。
【００８６】
壁面上部には大きな開口３５と小さな開口３９が設けられている。開口３５は壁面上辺に沿って設けられている。開口３９は開口３５の下方に設けられている。
【００８７】
デミスタ３６は開口３５に対向してシンク壁面３２内に設けられている。デミスタ３６はシート状のワイヤーメッシュを積層し、サポートフレームにより一体化したものである。
【００８８】
シンク壁面３２および底面は二重構造になっており、内部空間が風箱３７として機能する。風箱３７は排気機構５０に連続する。
【００８９】
水受３８はデミスタ３６の下方に、かつ、開口３９に対向してシンク壁面３２内に設けられている。水受３８および開口３９は排水戻り路を形成する。
【００９０】
付着したホルマリン等を洗浄する際に、流し台３０を用いる。その際に、ホルマリンからホルムアルデヒドが揮発するおそれがある。なお、ホルムアルデヒドの比重は空気より若干重い。そのため、ホルムアルデヒドはシンク３３底部から徐々に拡散する。直ちに病理検査室内に拡散するおそれは少ない。
【００９１】
図１１は切り出し台側における気流の概略断面図である。
【００９２】
シンク空間３３で発生した有害な気体は、開口３５およびデミスタ３６を介して吸引され、風箱３７に導かれる。より詳細には、混合栓が設けられているシンク壁面の対面にあるシンク壁面での吸気は下方流となりシンク底面を通過する。左右にあるシンク壁面での吸気は向きが替えられた略水平流となる。風箱３７内の気体は、排気機構５０を介して外部に排気される。
【００９３】
吸気機構３１によれば、上記構成による整流により、一様な吸気を実現できる。
【００９４】
ところで、混合栓から給水された水のほとんどは、排水部３４より排水されるが、水の一部がミスト状となって吸気と共に吸引される。
【００９５】
このとき吸気はデミスタ３６のメッシュワイヤに衝突する。ミスト状の水は、線の濡性と毛細管現象とにより、メッシュワイヤに拘束され、集合・成長し、やがて適当な大きさになった水滴は重力の作用により気流に抗して落下する。落下した水は排水戻り路３８，３９を介してシンク壁面３２を伝わり排水部３４より排水される。
【００９６】
〜検証試験〜
切り出し台２０の天面と流し台３０のシンク３３開放面とは、同じ高さにある。吸気機構２１は、切り出し台２０の天面から低い位置に、作業面２２を囲むように平面視環状に形成されている。吸気機構３１は、シンク壁面３２上部に沿って形成される。その結果、吸気機構２１の吸気面と吸気機構３１の吸気面はほぼ同じ位置となる。
【００９７】
図１２は、給気面と捕捉面と吸気面との関係を示す図である。法令において、プッシュプルユニットの給気面と吸気面とを設定した場合、給気面と吸気面とを７対３に分ける位置を捕捉面と仮定している。その結果、吸気機構２１の捕捉面と吸気機構３１の捕捉面とは同じ高さにある。
【００９８】
ところで、吸気機構２１は平面視環状に形成されており、作業面２２に相当する中央部には吸引能力はない。また、吸気機構３１はシンク壁面３２に形成されており、シンク中央における吸引能力は弱い。さらに、切り出し台２０と流し台３０との間も吸引能力がない。したがって、厳密には、吸気面での流速は一様ではない。
【００９９】
これに対し、本実施形態では、給気面での一様性を向上させ、かつ、吸気機構２１端部と吸気機構３１端部との長手方向間隔は３００ｍｍ以下とすることにより、捕捉面での一様性を確実にしている。つまり、吸気機構２１の捕捉面における平均流速と吸気機構３１の捕捉面における平均の流速とは、同等である。
【０１００】
図１３は、検証試験における捕捉面での流速分布である。
【０１０１】
給気面は１０４０ｍｍ×２６０ｍｍである。捕捉面（および吸気面）は１２８０ｍｍ×５００ｍｍである。給気面から吸気面までの高さは１０００ｍｍである。給気は約１０度の角度で拡散すると仮定した。
【０１０２】
設定給気量は５７１ｍ３／Ｈｒとした。切り出し台側の設定吸気量は６２１ｍ３／Ｈｒとし、流し台側の設定吸気量は５３１ｍ３／Ｈｒとした。すなわち、設定合計吸気量は１１５２ｍ３／Ｈｒとした。
【０１０３】
「プッシュプル型換気装置の性能及び構造上の要件等」に係る法令に基づいて、捕捉面４×４に等分割し、その中心風速を測定した。
【０１０４】
AA”風速は０．３６ｍ／ｓｅｃ、BB”風速は０．３８ｍ／ｓｅｃであり、判定基準０．３ｍ／ｓｅｃ以上であった。
【０１０５】
最少風速／平均風速は、０．６４（＝０．２２／０．３４）であり、判定基準０．５以上であった。
【０１０６】
最大風速／平均風速は、１．３２（＝０．４５／０．３４）であり、判定基準１．５以下であった。
【０１０７】
以上の様に、法令で定める捕捉気流の一様性を実現できた。
【０１０８】
設定給気量は５７１ｍ３／Ｈｒに対し、実測給気量は５２２ｍ３／Ｈｒであった。設定合計吸気量は１１５２ｍ３／Ｈｒに対し、実測合計吸気量は９７４ｍ３／Ｈｒであった。
【０１０９】
実測吸気量／実測給気量は１．８７であり、判定基準１．３以上２０以下を満たした。
【０１１０】
〜変形例〜
上記切り出し台２０および流し台３０は、プッシュプルユニットの一構成として発明したものである。したがって、プッシュプルユニットの一構成として使用すると、相乗効果を期待できる。
【０１１１】
一方で、切り出し台２０の吸気機構２１は一様な吸気を実現できるため、切り出し台２０を単独で使用してもよい。同様に、流し台３０の吸気機構３１は一様な吸気を実現できるため、流し台３０を単独で使用してもよい。
【符号の説明】
【０１１２】
１０  給気機構（プッシュ機構）
１１  給気ファン
１２  給気ボックス
１３  接続ダクト
１４  整流機構
１５  整流機構
２０  切り出し台
２１  吸気機構（プル機構）
２２  作業面
２３  環状溝
２４  連結筒
２５  風箱
２６  囲い箱
２７  溝蓋
２８  排水部
２９  スロープ
３０  流し台
３１  吸気機構（プル機構）
３２  シンク壁面
３３  シンク空間
３４  排水部
３５  開口（大）
３６  デミスタ
３７  風箱
３８  水受
３９  開口（小）
４０  側壁
５０  排気機構
【図１】
2019215115.tif 000003
【図２】
2019215115.tif 000004
【図３】
2019215115.tif 000005
【図４】
2019215115.tif 000006
【図５】
2019215115.tif 000007
【図６】
2019215115.tif 000008
【図７】
2019215115.tif 000009
【図８】
2019215115.tif 000010
【図９】
2019215115.tif 000011
【図１０】
2019215115.tif 000012
【図１１】
2019215115.tif 000013
【図１２】
2019215115.tif 000014
【図１３】
2019215115.tif 000015